(57)【要約】【課題】デジタル撮像装置を用いて、被写体を所望の位置や大きさで容易に撮影する事を可能とする液晶パネル保護フィルムを提供する。【解決手段】透明ないしは半透明の保護フィルム本体１０１と、前記保護フィルム本体の裏面に設けられた粘着層とを備える液晶パネル保護フィルムにおいて、前記保護フィルム本体に設けられる縦方向および横方向の複数の直線状マーキングを備える。【選択図】図１
2007267062.tif 000002
【特許請求の範囲】
【請求項１】
透明ないしは半透明の保護フィルム本体と、
前記保護フィルム本体の裏面に設けられた粘着層と、
を備える液晶パネル保護フィルムにおいて、
前記保護フィルム本体に設けられる縦方向および横方向の複数の直線状マーキングを備えたことを特徴とする液晶パネル保護フィルム。
【請求項２】
請求項１に記載の液晶パネル保護フィルムにおいて、
前記保護フィルム本体の周辺部に設けられる保護フィルム余白と、
前記保護フィルム本体と前記保護フィルム余白との境界に設けられる切断線と、
を備えることを特徴とする液晶パネル保護フィルム。
【請求項３】
請求項２に記載の液晶パネル保護フィルムにおいて、
前記保護フィルム余白に設けられる位置決め用マークを備えることを特徴とする液晶パネル保護フィルム。
【請求項４】
請求項１から３までのいずれかに記載の液晶パネル保護フィルムにおいて、
前記直線状マーキングは、印刷または刻印によって前記保護フィルム本体上に形成されることを特徴とする液晶パネル保護フィルム。
【請求項５】
請求項１に記載の液晶パネル保護フィルムにおいて、
前記直線状マーキングは、前記保護フィルム本体の一部である所定の縦横比を有する長方形領域を示すものである液晶パネル保護フィルム。
【請求項６】
請求項１に記載の液晶パネル保護フィルムにおいて、
前記直線状マーキングは、前記保護フィルム本体の領域を横方向に等間隔に分割する縦方向の３本以上の直線と、
前記保護フィルム本体の領域を縦方向に等間隔に分割する横方向の３本以上の直線と、
である液晶パネル保護フィルム。
【請求項７】
請求項１に記載の液晶パネル保護フィルムにおいて、
前記直線状マーキングは、前記保護フィルム本体の領域を横方向に１：１：１に分割する縦方向の２本の直線と、
前記保護フィルム本体の領域を縦方向に１：１：１に分割する横方向の２本の直線と、
である液晶パネル保護フィルム。
【発明の詳細な説明】
【技術分野】
【０００１】
本発明は、デジタル撮像装置の液晶パネル保護フィルムに関する。
【背景技術】
【０００２】
従来、カメラ付き携帯電話機やデジタルカメラに備えられている画像を表示するための液晶パネル面を傷から保護する目的で、液晶パネル面に透明な保護フィルムを貼る事が行われていた。該保護フィルムは、柔軟性のあるプラスチックフィルムの片面全面に再剥離可能な粘着剤層を形成したものである。
なお、特許文献１の第００５１段落には、「フレーム枠をデジタルカメラのＬＣＤ表示パネルに表示させる。」技術が記載されている。
【特許文献１】特開２００５−６２８２号公報
【発明の開示】
【発明が解決しようとする課題】
【０００３】
証明写真は、履歴書用、運転免許証申請用、パスポート申請用などの用途によって規格サイズが異なり、従来、適正規格サイズの写真を得るためには写真店や証明写真ブースに出向いて撮影する必要があった。証明写真ブースによく用いられる証明写真撮影及び印刷装置の場合、一般的には２枚や４枚セットでプリントされるが、利用者が１枚しか証明写真を必要としない場合、残りが無駄になりコストが高くなっていた。
また、写真撮影は一回限りのため、写真の仕上がりが気に入らない場合であっても、コストと手間が掛かるため、撮り直さずにそのまま使用する事が一般的であった。
【０００４】
しかしながら、前述の履歴書用等の証明写真を、カメラ付き携帯電話機やデジタルカメラ等のデジタル撮像装置を用いて撮影しようとした場合、これらの機器には被写体の写り具合を確認するための画像を表示する液晶パネルが設けられているが、このパネルのサイズが小さく、撮影画面構成の指標となる撮影用フレーム表示がないため、被写体の相対的な位置や角度を確認する事が困難であり、人物が傾いたり、小さく写り表情が不鮮明になったりする場合があった。よって、プリントした写真を証明写真の規格サイズに切り出した際に、人物の顔が小さくなる場合や、逆に大き過ぎてはみ出すという問題があった。また、風景を写す場合でも、構図を上手く作れずに、傾いて写った写真となるなどの問題があった。
【０００５】
また、前述の特許文献１に記載のカメラ付き携帯電話機では、撮影を補助するためのフレーム枠が、ハードウェアに備えられたコントローラにより液晶パネルに表示されるため、実現にはハードウェア構成の大幅な変更を伴い、手間がかかる上に高価なものであった。
一方、前述の保護フィルムを液晶パネルに貼る場合には、保護フィルムが液晶パネルからずれ易く、傾く場合もあり、上手に貼れないという問題があった。
【０００６】
本発明は上記事情を考慮してなされたもので、その目的は、デジタル撮像装置を用いて、被写体を所望の位置や大きさで容易に撮影する事を可能とする液晶パネル保護フィルムを提供する事である。
【課題を解決するための手段】
【０００７】
本発明は上記の課題を解決するためになされたもので、透明ないしは半透明の保護フィルム本体と、前記保護フィルム本体の裏面に設けられた粘着層と、を備える液晶パネル保護フィルムにおいて、前記保護フィルム本体に設けられる縦方向および横方向の複数の直線状マーキングを備える事を特徴とする。
本発明によれば、利用者が、液晶パネルに保護フィルム本体を貼り付けたデジタル撮像装置を用い、保護フィルム本体上の直線マーキングを目安にして被写体を撮影する事で、被写体が傾く事無く写真を撮影できる。
【０００８】
また、本発明に係る液晶パネル保護フィルムは、前記保護フィルム本体の周辺部に設けられる保護フィルム余白と、前記保護フィルム本体と前記保護フィルム余白との境界に設けられる切断線とを備える事を特徴とする。
本発明では、利用者が、液晶パネル保護フィルムをデジタル撮像装置の液晶パネルに貼り付ける際に、貼り付け位置を決める基準として保護フィルム余白の外形を用いる。その後、切断線に沿って保護フィルム余白を切り取る事によって、保護フィルム本体が液晶パネルにずれる事無く貼り付けられる。
【０００９】
また、本発明に係る液晶パネル保護フィルムは、前記保護フィルム余白に設けられる位置決め用マークを備える事を特徴とする。
本発明では、利用者が、位置決めマークをデジタル撮像装置の所定の位置に合わせて液晶パネル保護フィルムを液晶パネルに貼り付ける事によって、保護フィルム本体が液晶パネルにずれる事無く貼り付けられる。
【００１０】
また、本発明に係る液晶パネル保護フィルムは、前記直線状マーキングが、印刷または刻印によって前記保護フィルム本体上に形成される事を特徴とする。
【００１１】
また、本発明に係る液晶パネル保護フィルムは、前記直線状マーキングが、前記保護フィルム本体の一部である所定の縦横比を有する長方形領域を示すものである。
本発明では、利用者が、被写体を長方形領域に収まるように撮影する事で、写真をプリントした際に証明用写真として適正サイズかつ傾いていない写真を得られる。
【００１２】
また、本発明に係る液晶パネル保護フィルムは、前記直線状マーキングが、前記保護フィルム本体の領域を横方向に等間隔に分割する縦方向の３本以上の直線と、前記保護フィルム本体の領域を縦方向に等間隔に分割する横方向の３本以上の直線と、である。
本発明では、利用者が、被写体の水平線を直線状マーキングに合わせて撮影する事で、傾いていない写真を得られる。
【００１３】
また、本発明に係る液晶パネル保護フィルムは、前記直線状マーキングが、前記保護フィルム本体の領域を横方向に１：１：１に分割する縦方向の２本の直線と、前記保護フィルム本体の領域を縦方向に１：１：１に分割する横方向の２本の直線と、である。
本発明では、利用者が、主要な被写体を直線状マーキングの交点に合わせて撮影する事で、バランスの取れた構図の写真を得られる。
【発明の効果】
【００１４】
本発明によれば、安価に希望するサイズの写真を得られる液晶パネル保護フィルムを得る事ができる。それにより、簡単にデジタル撮像装置の液晶パネルに撮影用フレームを示す事ができ、適正サイズかつ傾いていない写真が撮影できる。
【発明を実施するための最良の形態】
【００１５】
以下に、図面を参照して本発明の一実施形態について説明する。
本発明に係る液晶パネル保護フィルムは、カメラ付き携帯電話機やデジタルカメラ等の液晶表示パネル付きデジタル撮像装置一般に適用できるが、本実施形態の液晶パネル保護フィルムは、カメラ付き携帯電話機に適用するものである。また、カメラ付き携帯電話機が備える液晶パネルサイズは、縦４２ｍｍ  ｘ  横３６ｍｍであり、液晶パネル周囲の余白サイズは、縦５５ｍｍ  ｘ  横４２ｍｍである。
【００１６】
先ず、図１にパスポート証明写真用の撮影用フレーム付き液晶パネル保護フィルムの構造を示す。
撮影用フレーム付き液晶パネル保護フィルム１００は、保護フィルム本体１０１、パスポート証明写真用撮影フレーム線１０２、パスポート証明写真撮影用フレーム１０３、保護フィルム余白１０４、位置決めマーク１０５、切断線１０６を有して構成される。
保護フィルム本体１０１は、例えばＰＥＴ（ポリエチレンテレフタレート）等の無色透明又は半透明のフィルムで、カメラ付き携帯電話機の液晶パネルサイズと同じ縦４２ｍｍ  ｘ  横３６ｍｍのサイズの長方形であり、液晶パネル面に貼り付けられて液晶パネル表面を傷等から保護する。この保護フィルム本体１０１の裏面（液晶パネルに密着する面）には、無色透明な粘着層が一様に形成されており、貼り付けや再剥離が簡単にできるものである。その粘着層としては、例えば自己吸着シリコン膜を使用する。
【００１７】
直線状のマーキングであるパスポート証明写真用撮影フレーム線１０２は、縦横それぞれ２本ずつの破線、又は実線であり、黒色、又は任意の色を有する。また、パスポート証明写真用撮影フレーム線１０２は、保護フィルム本体１０１の表面に印刷又は刻印の何れかによって形成される。
そして、それら４本のパスポート証明写真用撮影フレーム線１０２が４点で交わり、保護フィルム本体１００上に長方形の形状となるパスポート証明写真撮影用フレーム１０３が形成される。本実施例では、パスポート証明写真撮影用フレーム１０３のサイズは、縦１７．６ｍｍ  ｘ  横１４．１ｍｍである。
【００１８】
このパスポート証明写真撮影用フレーム１０３内の領域は、ＤＳＣ（Digital Still Camera；デジタルスチルカメラ）判サイズに写真をプリントして拡大された際にパスポート証明写真のサイズ（縦５０ｍｍ  ｘ  横４０ｍｍ）と等しくなる。このパスポート証明写真撮影用フレーム１０３のサイズは、後述する計算方法により求めることが可能である。また、必要とする証明写真の種類（サイズ）が異なる場合は、それに対応したサイズのフレームを備える保護フィルムに張り替えて撮影を行う。
【００１９】
保護フィルム余白１０４は、保護フィルム本体１０１の周辺部に設けられており、保護フィルム本体１０１をカメラ付き携帯電話機の液晶パネルに貼り付ける際に位置合わせをするための余白であり、保護フィルム本体１０１を貼り付けた後に取り除かれる領域である。また、この保護フィルム余白１０４は、保護フィルム本体１０１と一体の同一材質のフィルムであり、無色透明又は色を有しても良く、裏面には粘着層を備えても良く、備えなくても良い。そのサイズは、カメラ付き携帯電話機の液晶パネル周囲の余白のサイズと同じ縦５５ｍｍ  ｘ  横４２ｍｍであり、撮影用フレーム付き液晶パネル保護フィルム１００の外形を形成する。この余白のサイズは、適用するカメラ付き携帯電話機の機種によってそれぞれ異なる。
【００２０】
位置決めマーク１０５は、撮影用フレーム付き液晶パネル保護フィルム１００をカメラ付き携帯電話機の液晶パネルに貼り付ける際に、位置合わせの目印とする２つのマークである。このマークは、保護フィルム余白１０４上に印刷または刻印により形成される。
切断線１０６は、保護フィルム本体１０１と保護フィルム余白１０４との境界に設けられている。この切断線１０６は、保護フィルム本体１０１の外形を形成し、撮影用フレーム付き液晶パネル保護フィルム１００から、保護フィルム余白１０４を切り取り易くするために設けられている。この線は、例えばミシン目により形成される。
【００２１】
図２は、撮影用フレーム付き液晶パネル保護フィルム１００の構造を示す斜視図である。
図２（ａ）は、パスポート証明写真用撮影フレーム線１０２を印刷により形成した場合の斜視図である。パスポート証明写真用撮影フレーム線１０２は、保護フィルム本体１０１の表面に印刷されたインクにより形成される。また、前述の通り、撮影用フレーム付き液晶パネル保護フィルム１００の裏面には一様に粘着層２００が形成されており、保護フィルム本体１０１と保護フィルム余白１０４との境界には、切断線１０６がミシン目により形成されている。
図２（ｂ）は、パスポート証明写真用撮影フレーム線１０２を刻印により保護フィルム本体１０１の表面に形成した場合の斜視図である。この刻印は、保護フィルム本体１０１の表面を彫って溝状の線として形成されており、人間が見た際にフレーム線として認識される。
【００２２】
次に、図３〜５を用いて、液晶パネル保護フィルムの撮影フレームサイズの計算方法を説明する。
先ず、図３に、カメラ付き携帯電話機の被写体を表示する液晶パネルの縦横比の例を示す。その液晶パネルサイズは、縦４２ｍｍ  ｘ  横３６ｍｍであるので、その縦横比は、３６／４２＝０．８５７である。
また、図４に、ＤＳＣ判サイズプリントの縦横比の例を示す。ＤＳＣ判サイズプリントは、縦１１９ｍｍ  ｘ  横８９ｍｍであるので、その縦横比は、８９／１１９＝０．７４８である。
【００２３】
この様に、ＤＳＣ判サイズプリントは、液晶パネルに対して長手方向に細長い形状を有している。このため、カメラ付き携帯電話機で撮影した写真データをＤＳＣ判サイズにプリントする場合には、液晶パネルに表示される画像サイズを基準として考えると、液晶パネルの長手方向の長さをＤＳＣ判サイズプリントの長手方向の長さに合わせて拡大プリントする。
ここで、カメラ付き携帯電話機で撮影した写真を拡大して、ＤＳＣ判サイズにプリントした例を図５に示す。上述の様に、液晶パネルの長手方向の長さは、拡大されてＤＳＣ判サイズの長手方向の長さと同じ１１９ｍｍとなる。また、液晶パネルの短手方向の長さも同じ倍率だけ拡大され、拡大後のサイズは１０２ｍｍとなる。しかし、短手方向に関しては、ＤＳＣ判サイズの短手方向の長さである８９ｍｍの部分のみがプリントされる。即ち、写真全体ではＤＳＣ判サイズプリント５００に対応する画像がプリントされ、両端のカット部５０１に対応する画像はプリントされずに無くなる。
【００２４】
つまり、液晶パネルの長手方向の長さ４２ｍｍと、ＤＳＣ判サイズプリントの長手方向の長さ１１９ｍｍとの比である１１９／４２＝２．８３が、液晶パネルサイズからＤＳＣ判サイズプリントへの拡大比率となる。
即ち、液晶パネル（縦４２ｍｍ  ｘ  横３６ｍｍ）に表示された写真データを、ＤＳＣ判サイズにプリントする際に、ＤＳＣ判サイズのプリント上で任意のサイズ（横Ａｍｍ、縦Ｂｍｍ）を液晶パネル上のフレームサイズ（横Ｃｍｍ、縦Ｄｍｍ）に対応させると、
Ｃ＝Ａ÷２．８３、
Ｄ＝Ｂ÷２．８３、
で規定できる。
【００２５】
例えば、パスポート用証明写真として規定された縦５０ｍｍ、横４０ｍｍのサイズは、液晶パネル上のサイズに換算すると、
Ｃ（横）＝４０ｍｍ÷２．８３＝１４．１ｍｍ、
Ｄ（縦）＝５０ｍｍ÷２．８３＝１７．６ｍｍ、
と計算できる。前出の図１に示したフレーム枠のサイズは、上述の計算で求めた値である。また、履歴書用写真など、他のサイズの証明写真が必要な場合や、液晶パネルサイズが異なる機種に適用する場合にも、上述の計算方法でフレーム枠のサイズを求める事ができる。
【００２６】
次に、パスポート用証明写真の撮影以外の用途に用いられる各種の撮影用フレームを図６〜８に示す。
図６は、履歴書用証明写真を撮影するための撮影用フレームである。その撮影用フレーム６００は、直線状マーキングである縦２本、横２本のフレーム線が交わり形成される長方形の形状を有し、サイズは、縦１２．７ｍｍ  ｘ  横８．４８ｍｍである。このサイズは前述のフレームサイズ計算方法を用いて算出されている。この撮影用フレーム６００を用いて撮影した写真をＤＳＣ判サイズでプリントした場合、プリント上での撮影用フレーム６００に対応するサイズは、縦３６ｍｍ  ｘ  横２４ｍｍとなり、履歴書用証明写真のサイズとなる。
【００２７】
図７は、風景撮影用方眼フレームである。その使用方法は後述するが、風景撮影用方眼フレームは、直線状マーキングとして保護フィルム本体１０１の領域を縦方向と横方向にそれぞれ等分割する７本の水平軸７００と３本の垂直軸７０１を備える。利用者は、風景撮影時にそれらの軸を指標として構図を決定する。また、それらの軸の本数は、任意に選定する事が可能である。
図８は、人物撮影用黄金分割フレームである。この人物撮影用黄金分割フレームは、直線状マーキングとして保護フィルム本体１０１の領域を縦方向に１：１：１の比に分割し、横方向に１：１：１の比に分割する縦横それぞれ２本ずつのフレーム線８００と、それらが形成する４つの交点上に４つの円８０１とを備える。利用者は、例えば４つの円から１つを選択して、その円の位置に被写体の顔を合わせて人物を撮影すれば、バランスの取れた構図の人物像を得る事ができる。
【００２８】
次に、図９〜１３を参照して、本実施形態に係る液晶パネル保護フィルムを利用してカメラ付き携帯電話機で写真撮影を行う方法を説明する。
最初に、図９、１０を参照して、液晶パネル保護フィルムをカメラ付き携帯電話機の液晶パネルに貼り付ける方法を説明する。この例では、図１に示したパスポート証明写真用の撮影用フレーム付き液晶パネル保護フィルムを用いて説明する。
【００２９】
先ず、利用者は、図９に示すように、撮影用フレーム付き液晶パネル保護フィルム１００の上部２ヶ所の位置決めマーク１０５を、カメラ付き携帯電話機９０２の液晶パネル周囲の余白上部の２ヶ所の角９０１（この例では携帯電話機筐体の上部の角）にそれぞれ合わせて、保護フィルム本体１０１をカメラ付き携帯電話機９０２の液晶パネル９０３表面に張り付ける。その際、保護フィルム本体１０１は、裏面に一様に形成されている粘着層を用いて貼り付けられる。前述のように、保護フィルム本体１０１の周囲には適用するカメラ付き携帯電話機の機種に合わせた適切なサイズの保護フィルム余白１０４が設けられているため、保護フィルム本体１０１は液晶パネル９０３上に正確に重なる。
【００３０】
その後、利用者は、切断線１０６に沿って保護フィルム余白１０４を切り取り、取り外す。その際、切断線１０６がミシン目により形成されているため、利用者は手で容易に切り取る事ができる。
そして、図１０に示すように、保護フィルム本体１０１のみをカメラ付き携帯電話機９０２の液晶パネル９０３上に残す。上述の貼り付け方法を用いる事で、保護フィルム本体１０１は、液晶パネル９０３上にずれや曲がりを生ずる事無く簡単に貼り付けられる。
【００３１】
次に、図１１、１２を参照して、上述の液晶パネル保護フィルムを液晶パネルに貼り付けたカメラ付き携帯電話機を用いてパスポート用証明写真の撮影を行う方法を説明する。
先ず、利用者は、図１１に示すように、被写体１１００の顔１１０１が液晶パネル９０３上に示されているパスポート証明写真撮影用フレーム１０３に収まるように、液晶パネル９０３に表示される画像を見ながらカメラ付き携帯電話機９０２の向きや被写体１１００との距離を調節する。この例では、パスポート用証明写真に適した写真とするため、顔１１０１がパスポート証明写真撮影用フレーム１０３の中心に傾く事無く、適切なサイズで収まる様にしている。次に、撮影を行い、その撮影データをＤＳＣ判サイズにプリントする。
【００３２】
その後、図１２に示すように、利用者はプリントされた写真１２００に写っている被写体１２０１の顔１２０２の周囲に、定規とペン等を用いて縦５０ｍｍ  ｘ  横４０ｍｍ（パスポート用証明写真のサイズ）の切り取り線１２０３を引く。
最後に、利用者は、写真１２００を前記切り取り線１２０３に沿ってカッターナイフ等で切り抜き、顔１２０２が適切なサイズで写ったパスポート用証明写真１２０４を得る事ができる。
その他の用途の証明用写真が必要な場合は、その証明写真に対応したサイズの撮影用フレームを有した保護フィルムに張り替えて同様の手順で撮影を行えば良い。
【００３３】
次に、図１３を参照して風景を撮影する方法を説明する。
先ず、利用者は、前述の貼り付け方法を用いて、カメラ付き携帯電話機９０２の液晶パネル９０３に前出の図７に示した風景撮影用方眼フレームを貼り付ける。
次に、利用者は、図１３に示すように、風景撮影用方眼フレームの水平線に風景の水平線や特徴物を合わせるように、液晶パネル９０３に表示される画像を見ながらカメラ付き携帯電話機の角度や被写体との距離を調節して撮影する。このように、風景撮影用方眼フレームを使用する事で、利用者はカメラ付き携帯電話機の小さな液晶パネルを用いても、水平線が傾く事無く、適切な構図で風景写真を撮影する事が可能となる。
【００３４】
次に、本発明に係る液晶パネル保護フィルムの他の実施の形態について説明する。
本発明に係る液晶パネル保護フィルムは、デジタルカメラの液晶パネルに適用しても良い。その際、液晶パネル保護フィルムは、保護フィルム本体１０１のサイズや保護フィルム余白１０４のサイズ等をデジタルカメラの液晶パネルや周囲の余白部のサイズに合わせて作製した物を用いる。この場合も、保護フィルムの液晶パネルへの貼り付け方法や、フレームサイズの計算方法や、撮影方法は、前述のカメラ付き携帯電話機に適用した例と同一の方法を用いる事ができる。
なお、前述の切断線１０６は、ミシン目に限らず、深い溝構造で形成されても良い。
【００３５】
以下に、上記各実施形態による効果をまとめる。
上記各実施形態によれば、写真をプリントするコストは、ＤＳＣ判サイズ１枚分の数十円程度であり、さらに、写真店等を利用する場合と比較して無駄な写真が発生せず、証明用写真を撮影する際のコストを削減できる。
また、撮影時の構図決定を適切に行う事ができ、それにより撮影の失敗を減らす事が可能であり、無駄な写真を撮影する事が減らせる。
【００３６】
さらに、現在ではインターネットを介したプリントサービスが提供されており、証明写真を得る際に、例えばカメラ付き携帯電話機やデジタルカメラで撮影した写真データを電子データとして送付し、そのデータを元にプリントされた写真を配送サービスにより受け取ることが可能なため、写真店や証明写真ブースに出掛ける必要が無くなる。
また、液晶パネルに保護フィルムを簡単に、そして正確に失敗する事無く貼り付ける事ができる。
【００３７】
さらに、従来技術に係る液晶パネルに電気的に撮影用フレームを表示させる方法と比較し、製造コストを大幅に下げる事ができる。また、本発明に係る液晶パネル保護フィルムは簡単に作製できるため、カメラ付き携帯電話機やデジタルカメラの機種毎に対応した各種サイズの液晶パネル保護フィルムを作製でき、適用機種が限定される事がない。
【００３８】
以上、本発明の実施形態を詳述してきたが、具体的な構成は本実施形態に限られるものではなく、本発明の要旨を逸脱しない範囲の設計変更等も含まれる。
【産業上の利用可能性】
【００３９】
本発明は、デジタル撮像装置の液晶パネル保護フィルムに用いて好適である。
【図面の簡単な説明】
【００４０】
【図１】本実施形態に係るパスポート証明写真用の撮影用フレーム付き液晶パネル保護フィルムを示す平面図である。
【図２】同上の撮影用フレーム付き液晶パネル保護フィルムを示す斜視図である。
【図３】カメラ付き携帯電話機の液晶パネルの縦横比を示す平面図である。
【図４】ＤＳＣ判サイズプリントの縦横比を示す平面図である。
【図５】カメラ付き携帯電話機で撮影した写真をＤＳＣ判サイズにプリントした例を示す平面図である。
【図６】本実施形態に係る履歴書証明写真用の撮影用フレーム付き液晶パネル保護フィルムを示す平面図である。
【図７】同上の風景撮影用方眼フレーム付き液晶パネル保護フィルムを示す平面図である。
【図８】同上の人物撮影用黄金分割フレーム付き液晶パネル保護フィルムを示す平面図である。
【図９】同上の撮影用フレーム付き液晶パネル保護フィルムをカメラ付き携帯電話機に貼り付けた状態を示す平面図である。
【図１０】同上の撮影用フレーム付き液晶パネル保護フィルムから保護フィルム余白を剥がした状態を示す平面図である。
【図１１】同上の撮影用フレーム付き液晶パネル保護フィルムを用いたカメラ付き携帯電話機によるパスポート証明用写真の撮影例を示す平面図である。
【図１２】同上の撮影用フレーム付き液晶パネル保護フィルムを用いたカメラ付き携帯電話機を用いて撮影した写真をＤＳＣ判写真サイズにプリントした例を示す平面図である。
【図１３】同上の風景用方眼フレーム付き液晶パネル保護フィルムを用いたカメラ付き携帯電話機の使用例を示す平面図である。
【符号の説明】
【００４１】
１００；撮影用フレーム付き液晶パネル保護フィルム、１０１；保護フィルム本体、１０２；パスポート証明写真用撮影フレーム線、１０３；パスポート証明写真撮影用フレーム、１０４；保護フィルム余白、１０５；位置決めマーク、１０６；切断線。
【図１】
2007267062.tif 000003
【図２】
2007267062.tif 000004
【図３】
2007267062.tif 000005
【図４】
2007267062.tif 000006
【図５】
2007267062.tif 000007
【図６】
2007267062.tif 000008
【図７】
2007267062.tif 000009
【図８】
2007267062.tif 000010
【図９】
2007267062.tif 000011
【図１０】
2007267062.tif 000012
【図１１】
2007267062.tif 000013
【図１２】
2007267062.tif 000014
【図１３】
2007267062.tif 000015